(57)【要約】【課題】上衣部と繋ぎのベビー服などの衣服において、その縫製の作業工程を少なくでき、コストの低減を図るスナップ付きテープユニット、および、それを用いた衣服を提供する。【解決手段】全体として短冊形のテープ本体部分１であって、該テープ本体部分１を、折り目線２を介して、その幅方向に二つ折りに二分する共に長手方向に二分する領域（Ａ１，Ａ２，Ｂ１，Ｂ２）とに区分し、各領域（Ａ１，Ｂ２）には、互いに反対の面に、前記長手方向に沿って、雄スナップＳ１および雌スナップＳ２を、所要ピッチで装着する。【選択図】        図１
2004350751.tif 000002
【特許請求の範囲】
【請求項１】
全体として長手短冊形のテープ本体部分（１）を有し、該テープ本体部分（１）は、その長手方向中心線に沿う折り目線（２）を介して、幅方向に二分する左右の領域に区分され、左右の領域のうち一方の領域には、互いに係脱する構造の雌雄スナップのうち複数の雄スナップ（Ｓ１）が所要ピッチで装着される領域（Ａ１）と雌雄スナップが装着されていない領域（Ｂ１）とが長手方向に沿って形成され、前記左右の領域のうち他方の領域には、互いに係脱する構造の雌雄スナップのうち複数の雌スナップ（Ｓ２）が所要ピッチで装着される領域（Ｂ２）と雌雄スナップが装着されていない領域（Ａ２）とが長手方向に沿って形成され、前記一方の領域の雄スナップ（Ｓ１）が装着される領域（Ａ１）と他方の領域の雌雄スナップが装着されていない領域（Ａ２）とが幅方向に対向し、前記他方の領域の雌スナップ（Ｓ２）が装着される領域（Ｂ２）と一方の領域の雌雄スナップが装着されていない領域（Ｂ１）とが幅方向に対向し、て形成されていることを特徴とするスナップ付きテープユニット。
【請求項２】
前記テープ本体部分が、テープの長手方向に沿って多数長尺状に連続して形成されていることを特徴とする請求項１に記載のスナップ付きテープユニット。
【請求項３】
前記テープ本体部分を構成する前記４つの領域（Ａ１，Ａ２，Ｂ１，Ｂ２）のうちの少なくとも一部が、各別に製作され、接合されて一体のテープ本体部分が形成されていることを特徴とする請求項１に記載のスナップ付きテープユニット。
【請求項４】
前記折り目線（２）は、その折り返しを容易にするための織成や溝等による弱み線により形成されていることを特徴とする請求項１、２又は３に記載のスナップ付きテープユニット。
【請求項５】
上衣部（４ｂ）と下衣部（４ａ）とが連続する繋ぎの構造であって、上衣部（４ｂ）の襟元から股下を通り下衣部（４ａ）の左右の足元にかけて連続して左右に割り開きし、上衣部（４ｂ）の左右前身頃の縁から、下衣部（４ａ）の股下から左右の足元にかけて連続する割り開き縁の前位の縁にかけて、左右が互いに係脱する構造の雄スナップ（Ｓ’１）と雌スナップ（Ｓ’２）とを所要ピッチで連続して装着し、下衣部（４ａ）の股下から左右の足元にかけて連続する割り開き縁の後位の縁（５）にかけて、前記請求項１乃至４のいずれか１項に記載のスナップ付きテープユニットを、下衣部（４ａ）の前記縁（５）の表裏に折り目線２で二つ折りした状態で装着し、下衣部（４ａ）の股下から左右の足元にかけて、前記前位の雄スナップ（Ｓ’２）と前記後位の雌スナップ（Ｓ１）とを係合させ、前記前位の雄スナップ（Ｓ’１）と前記後位の雌スナップ（Ｓ２）とを係合させるようにしたことを特徴とする衣服。
【発明の詳細な説明】
【０００１】
【発明の属する技術分野】
本発明は、主として、ベビー服に用いるスナップ付きテープユニット、及び、それを用いた衣服に関するものである。本発明は、下肢障害者用衣服等としても用いることができる。
【０００２】
【従来の技術】
通常、ベビー服では、下衣部を股から足元にかけて割り開きとし、その割り開きの縁にホック式のスナップを装備して、下衣部を正面から開閉できる構造にしている（例えば、実開昭５４−１０５７３７号（下記特許文献１）、実開昭５７−１４３２０７号（下記特許文献２）参照）。
この従来の構造では、その割り開きの左右の縁に、互いに係脱する雌又は雄のスナップを直接所定間隔で夫々取り付けたり、予め雌又は雄のスナップが所定間隔で取り付けられた雌側又は雄側テープ片を夫々縫製により取り付けるようにしていた。
【０００３】
【発明が解決しようとする課題】
ところが、上衣部と繋ぎのベビー服では、上衣部から下衣部へと連続する割り開きの左右の縁に、上下に連続して互いに係脱する雌スナップと雄スナップを夫々取り付ける構造となるので、下衣部の股下から足元にかけての割り開きの後位（臀部側）の縁では、略中央部を中心として、左右のスナップが雄スナップと雌スナップとに分かれることになる。しかも、正面から股間に隙間が生じることを防止し、また、正面からのスナップによる合わせ面を見栄え良くするために、股下の後位（臀部側）の縁では、その略中央部を中心として反転させるように折り返させて雄スナップと雌スナップとを設けている。このため、股下から足元に延びる割り開きの後位（臀部側）の縁には、左右別々に、雌又は雄のスナップ又は該スナップ付きのテープ片を分けて装着する必要があり、しかも、雄スナップと雌スナップとを上記後位（臀部側）の縁の表裏逆の面に取り付ける必要がある。このため、作業工程が多く、コストアップにつながり、不良品発生の原因ともなっていた。
【０００４】
【先行技術文献】
【特許文献１】実開昭５４−１０５７３７号公報
【特許文献２】実開昭５７−１４３２０７号公報
【０００５】
本発明は、上記事情に基づいてなされたもので、その目的とするところは、ベビー服のような衣服の上記のような下衣部の割り開き後位（臀部側）の縁に対して、自動縫着が簡単に実現でき、逢着のための作業工程も少なくできるように工夫をしたスナップ付きテープユニット、および、それを用いた体裁の良い衣服（ベビー服や下肢障害者用衣服）を提供することにある。
【０００６】
【課題を解決するための手段】
上記目的を達成するため、本発明のスナップ付きテープユニットは、図１に示すように、全体として長手短冊形のテープ本体部分１を有し、該テープ本体部分１は、その長手方向中心線に沿う折り目線２を介して、幅方向に二分する左右の領域に区分され、左右の領域のうち一方の領域には、互いに係脱する構造の雌雄スナップのうち複数の雄スナップＳ１が所要ピッチで装着される領域Ａ１と雌雄スナップが装着されていない領域Ｂ１とが長手方向に沿って形成され、前記左右の領域のうち他方の領域には、互いに係脱する構造の雌雄スナップのうち複数の雌スナップＳ２が所要ピッチで装着される領域Ｂ２と雌雄スナップが装着されていない領域Ａ２とが長手方向に沿って形成され、前記一方の領域の雄スナップＳ１が装着される領域Ａ１と他方の領域の雌雄スナップが装着されていない領域Ａ２とが幅方向に対向し、前記他方の領域の雌スナップＳ２が装着される領域Ｂ２と一方の領域の雌雄スナップが装着されていない領域Ｂ１とが幅方向に対向し、て形成されていることを特徴としている。上記領域Ａ１と領域Ｂ１、及びこれに対向する領域Ａ２と領域Ｂ２とは、長手方向に略同一の長さとされて対向して形成されている。
【０００７】
このように、本発明のスナップ付きテープユニットは、全体として短冊形のテープ本体部分１であって、該テープ本体部分１を、折り目線２を介して、その幅方向に二つ折りに二分すると共に長手方向に二分する領域（Ａ１，Ａ２，Ｂ１，Ｂ２）とに区分し、各領域（Ａ１，Ｂ２）には、互いに反対の面に、前記長手方向に沿って、夫々複数の雄スナップＳ１および雌スナップＳ２を、所要ピッチで装着する。
【０００８】
また、本発明のスナップ付きテープユニットでは、上記テープ本体部分が、テープの長手方向に沿って多数長尺状に連続して形成されている。これにより、長尺のスナップ付きテープユニットが一巻にして製造され、衣服への逢着使用時には、長尺のスナップ付きテープユニットの幅線３に沿って、一本のテープ本体部分１に分割切断して、使用する。
【０００９】
上記のスナップ付きテープユニットは、テープ本体部分１の折り目線２を中心とする左右の長尺テープ部分を別々に製作し、折り目線２を中心として接合して形成させることが出来る。また、上記各領域Ａ１，Ａ２，Ｂ１，Ｂ２の全部又は一部を各別に製作し、互いに接合して形成させることも出来る。
【００１０】
上記折り目線２は、その折り返しを容易にするための織成や溝等による弱み線により形成されている。
【００１１】
本発明に係る、上記スナップ付きテープユニットを用いるベビー服としての衣服は、上衣部４ｂと下衣部４ａとが連続する繋ぎの構造であって、上衣部４ｂの襟元から股下を通り下衣部４ａの左右の足元にかけて連続して左右に割り開きし、上衣部４ｂの左右前身頃の縁から、下衣部４ａの股下から左右の足元にかけて連続する割り開き縁の前位の縁にかけて、左右が互いに係脱する構造の雄スナップＳ’１と雌スナップＳ’２とが所要ピッチで連続して装着されている。また、下衣部４ａの股下から左右の足元にかけて連続する割り開き縁の後位（臀部側）の縁５にかけて、上記スナップ付きテープユニットのテープ本体部分１を、下衣部４ａの上記縁５の表裏に折り目線２で二つ折りした状態で逢着し、下衣部４ａの股下から左右の足元にかけて装着している。
【００１２】
上記の衣服では、上衣部４ｂの左右前身頃は、一方の開き縁の前面側に位置する雄スナップＳ’１と他方の開き縁の背面側に位置する雌スナップＳ’２とを係合させて閉じる。そして、下衣部４ａでは、上記と連続する雌スナップＳ’２とテープ本体部分１の雄スナップＳ１とを、また、雄スナップＳ’１とテープ本体部分１の雌スナップＳ２とを、係合させて閉じる。
【００１３】
この場合、下衣部４ａを開いた自然状態では、図４（ａ）に示すように、その後位の縁５の雄スナップＳ１と雌スナップＳ２とは、テープ本体部分１の左右に食い違った千鳥の位置に有り、雌雄スナップの一方（図示の実施例では雄スナップＳ１）は、下衣部４ａの開き縁の後位の縁５の裏面に位置することとなる。従って、図４（ｂ）に示すように、下衣部４ａを閉じるためには、テープ本体部分１若しくは後位の縁５の略中央部で折り返し反転させ、雄スナップＳ１を正面側に向けて、前位の雌スナップＳ’２と係合させて閉じる。この折り返しにより、図４（ｂ）に示すように、その上記略中央部が上方に持ち上がり、衣服の股間における隙間が閉鎖される。
【００１４】
このような構成にすることで、本発明のスナップ付きテープユニットを用いる事で、上衣部と繋ぎのベビー服（あるいは、下肢障害者用衣服）において、その自動縫製を効果的に実現でき、コストの低減を図ることができる。
【００１５】
【発明の実施の形態】
以下、本発明の実施の形態を、図面を参照しながら、具体的に説明する。この実施の形態でのスナップ付きテープユニットは、図１に示すように、全体として長手短冊形のテープ本体部分１を有し、該テープ本体部分１は、その長手方向中心線に沿う折り目線２を介して、幅方向に二分する左右の領域に区分される。この左右の領域のうち一方の領域には、互いに係脱する構造の雌雄スナップのうち複数の雄スナップＳ１が所要ピッチで装着される領域Ａ１と雌雄スナップが装着されていない領域Ｂ１とが長手方向に沿って形成されている。また、前記左右の領域のうち他方の領域には、互いに係脱する構造の雌雄スナップのうち複数の雌スナップＳ２が所要ピッチで装着される領域Ｂ２と雌雄スナップが装着されていない領域Ａ２とが長手方向に沿って形成され、前記一方の領域の雄スナップＳ１が装着される領域Ａ１と他方の領域の雌雄スナップが装着されていない領域Ａ２とが幅方向に対向し、前記他方の領域の雌スナップＳ２が装着される領域Ｂ２と一方の領域の雌雄スナップが装着されていない領域Ｂ１とが幅方向に対向して形成されている。上記領域Ａ１と領域Ｂ１、及びこれに対向する領域Ａ２と領域Ｂ２とは、長手方向に略同一の長さとされている。
【００１６】
上記雌雄スナップは、ホック式であり、これをベビー服に使用する時には、非金属すなわち樹脂により形成させることが望ましい。
【００１７】
上記のスナップ付きテープユニットでは、上記テープ本体部分１が、テープの長手方向に沿って多数長尺状に連続して形成される。これにより、長尺のスナップ付きテープユニットが一巻にして製造され、衣服への逢着使用時には、長尺のスナップ付きテープユニットの幅線３に沿って、一本のテープ本体部分１に分割切断して、使用する。
【００１８】
上記折り目線２は、テープ本体が織成により形成されている場合には、縦糸を抜く等の織成による弱み線により形成されている。
【００１９】
また、テープ本体が、熱可塑性合成樹脂の織成または成型により形成されている時には、図２に示すように溝状に薄く形成されることによる弱み線により形成されている。
【００２０】
テープ本体部分の左右の領域を左右各別に形成し、これを、上記折り目線２で、逢着あるいは溶着により接合させるようにして、長尺のテープ本体を形成させることもできる。
【００２１】
そして、このようなスナップ付きテープユニットの利用に際しては、衣服４（図３には、上衣部４ｂと下衣部４ａが繋ぎのベビー服が示されている）の下衣部４ａを股下から足元にかけて割り開きとし、その割り開きの後位（臀部側）の縁５にスナップを装備して、下衣部４ａを正面から開閉できる構造とする場合に、股下中心に上記テープ本体部分１の領域Ａ１，Ａ２と領域Ｂ１，Ｂ２との区分の位置を合わせて、テープ本体部分１を、その折り目線２に沿って折り返して、上記縁５の表裏に、自動縫製で装着する。なお、衣服４の左右の前身頃４Ｌ、４Ｒの縁にも、襟元から腹部を介して足元まで、同じホック型の互いに係脱する雌スナップＳ’１および雄スナップＳ’２を所要ピッチで設ける。この場合、普通のスナップ付きテープ片６，７を自動縫製で装着させることもできる。
【００２２】
更に詳述すると、図３に示すように、全体が前開きとなるベビー服では、上衣部４ｂと下衣部４ａとが連続する繋ぎの構造であって、下衣部４ａを股から足元にかけて割り開きとし、その割り開きの後位（臀部側）の縁５に左右が雌雄となるスナップを上記テープ本体部分１の逢着により装備すると共に、上衣部４ｂの左右前身頃４Ｌ、４Ｒの縁に沿って、襟元から腹部および前記割り開きの前位の縁を介して、足元まで雌雄のスナップＳ’１、Ｓ’２を連続的に装着して、上衣部４ｂと下衣部４ａとを正面から開閉できるようにする。
【００２３】
このような構造の衣服においては、上述のように、襟元から左右前身頃４Ｌ、４Ｒの縁と前記割り開きの前位の縁を介して足元までに、所要のピッチで、それぞれ、雌スナップＳ’１および雄スナップＳ’２を取り付けるが、一方、本発明においては、前述のような構造のテープ本体部分１が、股下中心に領域Ａ１，Ａ２と領域Ｂ１，Ｂ２との区分の位置を合わせて、その折り目線２に沿って折り返され、割り開きの、後位（臀部側）の縁５の内外に逢着される。
【００２４】
従って、図４（ｂ）に示すように、左前身頃の縁から前記割り開きの前位の足元まで装着した雌スナップＳ’２の下半部に、内側から反転して折り返すようにして雄スナップＳ１を着脱自在に結合し、また、右前身頃の縁から前記割り開きの前位の足元まで装着した雄スナップＳ’１の一部に、外側から雌スナップＳ２を着脱自在に結合することができる。
【００２５】
このような構成にすると、本発明のスナップ付きテープユニットを用いることで、股下の略中央部分でテープ本体部分１を、割り開きの後位（臀部側）の縁５と共に折り返しても、各雌雄スナップＳ’１，Ｓ’２に対応して、雄雌スナップＳ２，Ｓ１が対応し、割り開きの結合が容易に行える。しかも、図４（ｂ）に示すように、割り開きの後位（臀部側）の縁５の略中央部が上方に反転して突出し、下衣部４ａの正面から股間に隙間が生じるのを防止し、また、正面からのスナップによる合わせ面を見栄え良くすることができる。従って、上衣部と繋ぎのベビー服（あるいは、下肢障害者用衣服）において、その自動縫製を効果的に実現でき、コストの低減を図ることができるばかりでなく、体裁も良い。
【００２６】
【発明の効果】
このようにして、本発明によるスナップ付きテープユニットによれば、これを用いることで、ベビー服などの衣服において、その自動縫製を効果的に実現でき、作業工程少なくでき、コストの低減を図ることができ、また、股間における隙間を自然に塞ぐことができるなど見栄と装着性を良好とすることができる。
【図面の簡単な説明】
【図１】本発明の実施の形態を示すスナップ付きテープユニットの全体の模式的正面図である。
【図２】同じく、前記テープユニットの一部の拡大斜視図である。
【図３】本発明のテープユニットを用いたベビー服の外観正面図である。
【図４】（ａ），（ｂ）は、ベビー服の要部の作用を示す拡大図である。
【符号の説明】
１    テープ本体部分
２    折り目線
３    幅線
４    衣服
４ａ    下衣部
４ｂ    上衣部
５    後位（臀部側）の縁
６、７    テープ片
Ａ１，Ａ２，Ｂ１，Ｂ２    領域
Ｓ１、Ｓ’１    雄スナップ
Ｓ２、Ｓ’２    雌スナップ
【図１】
2004350751.tif 000003
【図２】
2004350751.tif 000004
【図３】
2004350751.tif 000005
【図４】
2004350751.tif 000006